(57)【特許請求の範囲】
【請求項１】
第１特定波長λｐ１の励起光を発する第１発光素子と、
第２特定波長λｐ２の励起光を発する第２発光素子と、
前記第１発光素子から出力される励起光を集光する第１集光レンズと、
前記第２発光素子から出力される励起光を集光する第２集光レンズと、
前記第１発光素子から出力される励起光を入射端に入力して導光し、出射端から出力する第１ファイバと、
前記第２発光素子から出力される励起光を入射端に入力して導光し、出射端から出力する第２ファイバと、
前記第１発光素子と前記第２発光素子とから出力される励起光の照射による発生光Ｓを導光する第３ファイバと、
前記第３ファイバの一端に設置され、前記第３ファイバから導光される前記発生光Ｓを検出する検出手段と、
前記第１発光素子と前記第２発光素子とから出力される励起光のパワーを制御する制御部と、
治療用の特定波長λｔの治療光を発する第３発光素子と、
前記第３発光素子から出力される治療光を導光するための第４ファイバと、
を備え、
前記第１ファイバと前記第２ファイバと前記第３ファイバと前記第４ファイバとは出射端で束ねられており、
前記制御部は、前記発生光Ｓと前記特定波長の励起光の散乱光Ｎとの強度比率Ｓ／Ｎが最大となるように、前記各々の特定波長の励起光のパワーを制御することを特徴とする光化学医療用装置。
【請求項２】
前記第１特定波長λｐ１は３７９ｎｍ〜４１９ｎｍの範囲にあり、前記第２特定波長λｐ２は６３４ｎｍ〜６７４ｎｍの範囲にあることを特徴とする請求項１に記載の光化学医療用装置。
【請求項３】
前記第１特定波長λｐ１は３７９ｎｍ〜４１９ｎｍの範囲にあり、前記第２特定波長λｐ２は６１０ｎｍ〜６５０ｎｍの範囲にあることを特徴とする請求項１に記載の光化学医療用装置。
【請求項４】
前記第１特定波長λｐ１は６６０ｎｍ〜７２０ｎｍの範囲にあり、前記第２特定波長λｐ２は７７０ｎｍ〜８１０ｎｍの範囲にあることを特徴とする請求項１に記載の光化学医療用装置。
【発明の詳細な説明】
【技術分野】
【０００１】
本発明は、光化学医療用装置に関する。
【背景技術】
【０００２】
光化学医療用装置として、光化学診断（Photodynamic  Diagnosis、以下ＰＤＤと略す）用装置、光化学治療（Photodynamic  Therapy、以下ＰＤＴと略す）用装置、及び光診断・治療用装置が知られている。例えば特許文献１、２には、腫瘍親和性のある光感受性物質を予め癌病巣部に集積させて、レーザ光を照射し光感受性物質から蛍光を発生させて、癌病巣部を診断する光化学診断装置が開示されている。
【特許文献１】特公平４−６３８９号公報
【特許文献２】特許第２７３８３９０号公報
【発明の開示】
【発明が解決しようとする課題】
【０００３】
しかしながら、上記の光化学診断装置では、いずれも癌病巣部が存在する深さ位置についての情報を得ることができない。また、特許文献１記載の光化学診断装置の場合、生体組織深部に癌病巣部が存在する場合には診断が困難であり、特許文献２記載の光化学診断装置の場合、生体組織表層部に癌病巣部が存在する場合、特許文献１に比べ癌病巣部の観察鮮明度が劣るという問題があり、高信頼性の診断結果を得ることは困難であった。
【０００４】
本発明は、上記問題点を解消する為になされたものであり、高信頼性の診断結果等を得ることができる光化学医療用装置を提供することを目的とする。
【課題を解決するための手段】
【０００５】
本発明に係る光化学医療用装置は、第１特定波長λｐ１の励起光を発する第１発光素子と、第２特定波長λｐ２の励起光を発する第２発光素子と、第１発光素子から出力される励起光を集光する第１集光レンズと、第２発光素子から出力される励起光を集光する第２集光レンズと、第１発光素子から出力される励起光を入射端に入力して導光し、出射端から出力する第１ファイバと、第２発光素子から出力される励起光を入射端に入力して導光し、出射端から出力する第２ファイバと、第１発光素子と第２発光素子とから出力される励起光の照射による発生光Ｓを導光する第３ファイバと、第３ファイバの一端に設置され、第３ファイバから導光される発生光Ｓを検出する検出手段と、第１発光素子と第２発光素子とから出力される励起光のパワーを制御する制御部と、治療用の特定波長λｔの治療光を発する第３発光素子と、第３発光素子から出力される治療光を導光するための第４ファイバと、を備え、第１ファイバと第２ファイバと第３ファイバと第４ファイバとは出射端で束ねられており、制御部は、発生光Ｓと特定波長の励起光の散乱光Ｎとの強度比率Ｓ／Ｎが最大となるように、各々の特定波長の励起光のパワーを制御することを特徴とする。
【０００６】
本発明に係る光化学医療用装置では、第１発光素子と第２発光素子とを備えることにより、少なくとも２種類の特定波長の励起光を得ることができる。このため、必要に応じてこれらの特定波長の励起光を同時に、または診断に最適となる励起光を選択し使用することができ、装置の性能及び応用性を高めることができると共に、高信頼性の診断結果を得ることができる。また、第１発光素子と第２発光素子とに対してそれぞれ対応する第１集光レンズ、第１光ファイバと第２集光レンズ、第２光ファイバとが設けられているので、各々の発光素子から光ファイバの入射端への光結合の効率を高くすることができる。さらに、各々の発光素子から出力された励起光は、対応する集光レンズにより集光され、対応する光ファイバの入射端に入射し、光ファイバにより導光され、光ファイバの出射端から外部へ効率良く出射される。また、第１ファイバと第２ファイバとは出射端で束ねられているため、第１発光素子と第２発光素子とから出力された励起光がまとめられ、高パワーの励起光を得ることができる。
【０００７】
本発明に係る光化学医療用装置では、第１特定波長λｐ１は３７９ｎｍ〜４１９ｎｍの範囲にあり、第２特定波長λｐ２は６３４ｎｍ〜６７４ｎｍの範囲にあること、あるいは、第１特定波長λｐ１は３７９ｎｍ〜４１９ｎｍの範囲にあり、第２特定波長λｐ２は６１０ｎｍ〜６５０ｎｍの範囲にあること、あるいは、第１特定波長λｐ１は６６０ｎｍ〜７２０ｎｍの範囲にあり、第２特定波長λｐ２は７７０ｎｍ〜８１０ｎｍの範囲にあること、が好適である。この場合には、必要に応じて第１特定波長λｐ１の励起光と第２特定波長λｐ２の励起光とを同時に、または診断に最適となる特定波長の励起光を選択することができ、装置の性能及び応用性を高めることができると共に、高信頼性の診断結果を得ることができる。
【０００８】
本発明に係る光化学医療用装置では、第１発光素子と第２発光素子とから出力される励起光の照射により発生される発生光Ｓを導光する第３ファイバと、第３ファイバの一端に設置され、第３ファイバから導光される発生光Ｓを検出する検出手段とを備えることが好適である。この場合には、発生光Ｓを検出し、検出結果を分析することができる。
【０００９】
本発明に係る光化学医療用装置では、第１発光素子と第２発光素子とから出力される励起光のパワーを制御する制御部を備えることが好適である。この場合には、第１発光素子と第２発光素子とから出力される励起光のパワーが制御部により制御されるため、必要に応じて光のパワーを調整することができ、装置の性能及び応用性を向上することができる。
【００１０】
本発明に係る光化学医療用装置では、制御部は、発生光Ｓと特定波長の励起光の散乱光Ｎとの比率Ｓ／Ｎが最大となるように、各々の特定波長の励起光のパワーを制御することが好適である。この場合には、励起光の散乱光による影響を低減することができるので、装置の性能を高め、診断結果の信頼性を向上することができる。
【００１１】
本発明に係る光化学医療用装置では、治療用の特定波長λｔの治療光を発する第３発光素子と、第３発光素子から出力される治療光を導光する第４ファイバとを備えることが好適である。この場合には、診断と同時に治療をすることができ、装置の応用性を一層高めることができる。
【００１２】
本発明に係る光化学医療用装置は、病巣部に集積された光感受性物質に対して２以上の異なる波長の照射光を照射する照射手段と、照射光における各波長成分の強度比率を制御する制御手段と、光感受性物質からの発生光の強度変化またはスペクトル変化の少なくとも一方を検出する検出手段とを備えることを特徴とする。
【００１３】
本発明に係る光化学医療用装置では、２以上の異なる波長の照射光を照射する照射手段を備えることにより、例えば、病巣部に集積された光感受性物質の特性に応じてこの２以上の異なる波長の照射光を同時に、または光感受性物質の特性に最適となる波長の照射光を選択し照射することができるため、装置の性能及び応用性を高めることができると共に、高信頼性の診断結果が得られる。
【００１４】
そして、本発明に係る光化学医療用装置では、照射光における各波長成分の強度比率を制御する制御手段を備えることにより、診断状況に対応する最適となる各波長成分の強度比率で診断することが可能となるため、さらなる高信頼性の診断結果が得られ、装置の性能及び応用性を一層高めることができる。
【００１５】
さらに、本発明に係る光化学医療用装置では、光感受性物質から発生する蛍光の強度変化またはスペクトル変化の少なくとも一方を検出する検出手段を備えるので、これらの変化を検出し、その検出結果に基づき病巣部の深さ位置を把握することができる。
【００１６】
本発明に係る光化学医療用装置では、制御手段は、照射光の波長を時間的に変化させるように、または２以上の異なる波長を同時に照射しかつそれら照射光の強度比率を変化させるように、照射光における各波長成分の強度比率を制御することが好適である。これらの場合には、診断状況に対応する最適となる各波長成分の強度比率で診断することが可能となるため、高信頼性の診断結果が得られると共に、装置の性能及び応用性を高めることができる。
【００１７】
本発明に係る光化学医療用装置では、発生光を分光するための分光手段を備えることが好適である。この場合には、発生光を透過させ、照射光の散乱光とその他のノイズを遮断することにより、診断結果の信頼性を一層高めることができる。
【００１８】
本発明に係る光化学医療用装置では、各々の照射光の波長がそれぞれ光感受性物質の吸収ピークに対応するものであることが好適である。この場合には、光感受性物質の吸収ピークに対応し、各々の照射光を同時に、または使い分けることにより、診断作業が容易化されることができると共に、高信頼性の診断結果を得ることができる。
【発明の効果】
【００１９】
本発明によれば、病巣部の深さ位置を診断可能であり、また、病巣部を鮮明に観察可能な光化学医療用装置を提供することができる。
【発明を実施するための最良の形態】
【００２０】
以下、添付図面を参照して、本発明を実施するための最良の形態を詳細に説明する。なお、図面の説明において同一の要素には同一符号を付し、重複する説明は省略する。
【００２１】
図１は本実施形態に係る光化学医療用装置１の構成図である。同図に示すように、光化学医療用装置１は、診断照射部２と検出部４と治療照射部６とを備えている。
【００２２】
診断照射部２は、（１）５個の第１特定波長λｐ１の励起光（すなわち、照射光）を発する第１発光素子１０と、（２）５個の第２特定波長λｐ２の励起光を発する第２発光素子２０と、（３）第１発光素子１０から出力される励起光を集光する５個の第１集光レンズ１２と、（４）第２発光素子２０から出力される励起光を集光する第２集光レンズ２２と、（５）第１発光素子１０から出力される励起光を入射端に入力して導光し、出射端から出力する５本の第１ファイバ１４と、（６）第２発光素子２０から出力される励起光を入射端に入力して導光し、出射端から出力する５本の第２ファイバ２４とがそれぞれ１対１の組み合わせにより構成されている。また、診断照射部２には、第１発光素子１０と第２発光素子２０とのそれぞれ出力される光のパワーを制御する制御部３０が設けられている。この制御部３０は、光感受性物質から発する発生光Ｓと特定波長の励起光の散乱光Ｎとの比率Ｓ／Ｎが最大となるように、第１特定波長λｐ１及び第２特定波長λｐ２の励起光のパワーを制御し、またはこれらの励起光の波長を時間的に変化させるように、若しくはこれらの励起光の強度比率を変化させるように、第１特定波長λｐ１及び第２特定波長λｐ２の波長成分の強度比率を制御する機能を備えている。
【００２３】
第１発光素子１０と第２発光素子２０とは、光を出力する素子であって、好適には、レーザ光を出力する半導体レーザ素子を含む。第１発光素子１０から発する第１特定波長λｐ１は３７９ｎｍ〜４１９ｎｍの範囲にあり、第２発光素子２０から発する第２特定波長λｐ２は６３４ｎｍ〜６７４ｎｍの範囲にあることが好適である。また、第１集光レンズ１２と第２集光レンズ２２とは、両方のレンズ面が凸面であり、それぞれ第１発光素子１０から発する第１特定波長λｐ１の励起光と、第２発光素子２０から発する第２特定波長λｐ２の励起光とを集光するものである。第１ファイバ１４と第２ファイバ２４とは、その一端（出射端）が束ねられ、フェルール３２により保持されており、その他端はそれぞれ第１集光レンズ１２と第２集光レンズ２２とを介し、第１発光素子１０と第２発光素子２０と光学的に接続されている。
【００２４】
図１に示すように、検出部４は、１本の第３ファイバ４０と、この第３ファイバ４０と順番に接続される第３集光レンズ４２と光フィルタ４４とスペクトル解析器４６とモニタ４８とから構成されている。この第３ファイバ４０は、第１発光素子１０と第２発光素子２０とから出力された励起光の照射により発生される発生光である蛍光Ｓを導光するものであり、第３ファイバ４０の一端は第１ファイバ１４及び第２ファイバ２４と共に束ねられ、フェルール３２により保持されており、その他端は第３集光レンズ４２を介して光フィルタ４４と接続されている。また、第３集光レンズ４２は第１集光レンズ１２と第２集光レンズ２２と同様に両方のレンズ面が凸面である。
【００２５】
光フィルタ４４は、第１発光素子１０と第２発光素子２０とから出力された励起光の照射により発生される蛍光Ｓを分光する分光手段として用いられている。すなわち、光フィルタ４４は、第３集光レンズ４２から集光された特定波長λｆの蛍光Ｓを透過させると共に、励起光の散乱光やその他の波長の光を遮断するものである。このように光フィルタ４４の設置により、スペクトル解析器４６内に漏れ込む励起光等を蛍光Ｓと誤認することを確実に防止することができ、診断結果の信頼性を高めることができる。なお、光フィルタ４４に代えて、分光器を用いてもよい。
【００２６】
スペクトル解析器４６は、光フィルタ４４と接続され、光フィルタ４４を透過した蛍光Ｓの強度変化またはスペクトル変化の少なくとも一方を検出し解析するものである。解析結果はスペクトル解析器４６に接続されるモニタ４８により表示される。
【００２７】
治療照射部６は、図１に示すように、治療用の特定波長λｔの治療光を発する第３発光素子５０と、第３発光素子５０から出力される治療光を集光するための第４集光レンズ５２と、第３発光素子５０から出力される治療光を導光するための第４ファイバ５４とを備えている。第３発光素子５０は、例えば特定波長４００ｎｍ〜８００ｎｍの光を出力することができるものが好適である。第４ファイバ５４の一端は第１ファイバ１４、第２ファイバ２４及び第３ファイバ４０と共に束ねられ、フェルール３２により保持されており、他端は第４集光レンズ５２を介して第３発光素子５０と光学的に接続されている。
【００２８】
次に、上記の光化学医療用装置１を用いたＰＤＤ及びＰＤＴについて説明する。
【００２９】
まず、２つ以上の吸収ピークを持つ光感受性物質を癌病巣部８に集積させる。本実施形態では、２つの吸収ピークを持つ光感受性物質として、クロリン系のｍｏｎｏ−Ｌ−ａｓｐａｒｔｙｌ−ｃｈｌｏｒｉｎ  ｅ６（以下ＮＰｅ６という）を用いる。図２に示すように、ＮＰｅ６の吸収スペクトルは、波長４０５ｎｍ付近で第１ピーク（最も高いピーク）を持ち、波長６６４ｎｍ付近で第２ピーク（２番目に高いピーク）を持っている。また、ＮＰｅ６は、ヘマトボルフィリン誘導体（HｐD）などの光感受性物質と比べて、正常組織からの排泄が早く、日焼けを抑えるための暗室への待機時間が短くてすむ点などにおいて優れている。
【００３０】
次に、光化学医療用装置１の診断照射部２を用いて、励起光を発生させ癌病巣部８に照射する。癌病巣部８に集積された光感受性物質ＮＰｅ６が励起光の照射により励起され、特定波長λｆの蛍光Ｓを発生させる。このとき、診断照射部２は、光感受性物質ＮＰｅ６の第１ピークに対応する第１特定波長λｐ１（すなわち、３７９ｎｍ〜４１９ｎｍ）の励起光を発する第１発光素子１０と、ＮＰｅ６の第２ピークに対応する第２特定波長λｐ２（すなわち、６３４ｎｍ〜６７４ｎｍ）の励起光を発する第２発光素子２０とを備えているため、癌病巣部８が生体組織での位置や深さ等に応じて、第１発光素子１０と第２発光素子２０とを使い分ける。例えば、癌病巣部８が生体組織の表面付近にある場合は、第１特定波長λｐ１である３７９ｎｍ〜４１９ｎｍの範囲の励起光を用い、癌病巣部８が生体組織の表面から深い位置にある場合は、６３４ｎｍ〜６７４ｎｍの範囲の励起光を用いる。このように必要に応じて診断に最適な特定波長を選択し使用することにより、診断作業が容易になると共に、癌病巣部８の位置や範囲等をモニタ４８により把握することができ、診断結果の信頼性を高めることができる。
【００３１】
また、第１発光素子１０と第２発光素子２０とを同時に使用することが可能である。すなわち、光感受性物質ＮＰｅ６の第１ピークに対応する第１特定波長λｐ１の励起光及びＮＰｅ６の第２ピークに対応する第２特定波長λｐ２の励起光を同時に用いることである。このようにすれば、制御部３０により、これらの励起光の強度比率を変化させるように制御することにより、高信頼性の診断結果が得られる。例えば、第１特定波長λｐ１を光感受性物質ＮＰｅ６の第１ピークである４０５ｎｍとし、第２特定波長λｐ２を光感受性物質ＮＰｅ６の第２ピークである６６４ｎｍとし、これらの特定波長の光強度比率を時間的に制御しながら、癌病巣部８に集積された光感受性物質ＮＰｅ６から発生した蛍光Ｓの強度変化をモニタ４８することにより、生体組織での癌病巣部８の深さを把握することができる。
【００３２】
図３は第１特定波長λｐ１を光感受性物質ＮＰｅ６の第１ピークである４０５ｎｍとし、第２特定波長λｐ２を光感受性物質ＮＰｅ６の第２ピークである６６４ｎｍとして、これらの特定波長の光強度比率を変化させた際、特定波長の光強度比率と癌病巣部８の観察鮮明度との関係を示す図である。同図において、Ｐｖは波長４０５ｎｍ（第１特定波長λｐ１）の光パワーを、Ｐｒは波長６６４ｎｍ（第２特定波長λｐ２）の光パワーを、Ｐｆは蛍光Ｓのパワーを示しており、横軸を第１特定波長λｐ１と第２特定波長λｐ２との光強度比率の対数とし、縦軸を蛍光Ｓと第１特定波長λｐ１及び第２特定波長λｐ２の和との光強度比率の対数としている。同図に示すように、（１）癌病巣部の深度が体表から０ｍｍ（ｄ＝０ｍｍ）の場合、波長４０５ｎｍの光強度比率が大きくなるように制御されるに伴い、モニタ４８により確認された癌病巣部の観察鮮明度がアップされた。（２）癌病巣部深度が体表から５ｍｍ（ｄ＝５ｍｍ）の場合、波長４０５ｎｍと波長６６４ｎｍとの光強度比率を時間的に変化させたにもかかわらず、癌病巣部の観察鮮明度がほぼ一定に保たれていた。（３）癌病巣部深度が体表から１０ｍｍ（ｄ＝１０ｍｍ）の場合、波長６６４ｎｍの光強度比率が大きくなるように制御されるに伴い、モニタ４８により確認された癌病巣部の観察鮮明度がアップされた。このように、特定波長の光強度比率の時間的変化と癌病巣部の観察鮮明度との関係を用いて、体内の癌病巣部の深さを推測することが可能である。
【００３３】
なお、光感受性物質ＮＰｅ６から発生した蛍光Ｓは、光化学医療用装置１の検出部４に設けられている第３ファイバ４０により導光され、第３集光レンズ４２を介して光フィルタ４４に集光される。光フィルタ４４では特定波長λｆの蛍光Ｓのみが透過され、励起光の散乱光やその他の波長の光が遮断される。そして、光フィルタ４４を透過した蛍光Ｓは、スペクトル解析器４６によりスペクトル変化が検出され、解析される。その解析結果はモニタ４８により表示される。光フィルタ４４により励起光の散乱光等の影響が低減された結果、癌病巣部８の位置や範囲等がモニタ４８により鮮明に確認され、癌病巣部８の生体組織での位置や範囲等を特定することができる。
【００３４】
このとき、例えば、光化学医療用装置１の制御部３０により、光感受性物質ＮＰｅ６から発生した蛍光Ｓと励起光の散乱光Ｎとの比率Ｓ／Ｎが最大となるように、第１特定波長λｐ１と第２特定波長λｐ２との励起光のパワーを制御することが好適である。このようにすれば、励起光の散乱光による影響を低減し、診断結果の信頼性をさらに高めることができる。
【００３５】
癌病巣部８の診断結果に基づいてＰＤＴを行う場合には、診断照射部２を止めて、治療照射部６に切り換える。具体的には、診断照射部２の発光素子をオフさせ、治療照射部６の第３発光素子５０をオンさせる。これにより、第３発光素子５０から特定波長λｔ（例えば、４００ｎｍ〜８００ｎｍ）の治療光が発生される。特定波長λｔの治療光は、第４集光レンズ５２により集光され、第４ファイバ５４により導光されて癌病巣部８に照射される。このとき、癌病巣部８に集積された光感受性物質ＮＰｅ６が治療光の照射により一重項酸素などの活性酸素を生成し、殺細胞効果による癌病巣部８を治療する。
【００３６】
次に、ＰＤＤとＰＤＴとを繰り返す。すなわち、治療照射部６を止めて診断照射部２及び検出部４に切り換えることにより癌病巣部８の治療結果を確認し、診断照射部２を止めて治療照射部６に切り換えることにより癌病巣部８を治療する。このため、癌病巣部８の診断及び治療を行うことができる。なお、上記のように、特定波長の光強度比率の時間的に変化と癌病巣部８の観察鮮明度との関係を用いて、生体組織での癌病巣部８の深さを把握することが可能となるため、癌病巣部８の深さに応じて特定波長λｔの治療光のパワーを調整する等により、高信頼性の治療効果を得ることができる。
【００３７】
本発明によれば、光化学医療用装置１は第１発光素子１０と第２発光素子２０とを備えることにより、２種類の特定波長の励起光を得ることができる。このため、必要に応じてこの２種類の励起光を同時に、またはこの２種類の励起光を使い分け、診断に最適となる励起光を選択し使用することができ、診断作業が容易化されることができると共に、高信頼性の診断結果を得ることができる。そして、制御部３０により診断に用いられる光感受性物質ＮＰｅ６から発する蛍光Ｓと特定波長の励起光の散乱光Ｎとの比率Ｓ／Ｎが最大となるように、各特定波長の励起光のパワーを制御し、または各励起光の波長を時間的に変化させるように、若しくは各励起光の強度比率を変化させるように、各波長成分の強度比率を制御することにより、励起光の散乱等のノイズによる影響を低減し、診断結果の信頼性を一層向上することができ、装置の性能及び応用性を向上することができる。さらに、診断と同時に治療するための治療照射部６が設けられているので、一層装置の応用性を高めることができる。
【００３８】
また、光化学医療用装置１には、第１発光素子１０と第２発光素子２０とに対してそれぞれ対応する第１集光レンズ１２、第１光ファイバ１４と第２集光レンズ２２、第２光ファイバ２４とが設けられているので、各々の発光素子から光ファイバの入射端への光結合の効率を高くすることができる。そのため、各々の発光素子から出力された励起光は、対応する集光レンズにより集光され、対応する光ファイバの入射端に入射し、光ファイバにより導光されて、光ファイバの出射端から外部へ効率良く出射される。
【００３９】
また、第１ファイバ１４と第２ファイバ２４とは出射端で束ねられているため、第１発光素子１０と第２発光素子２０とから出力された励起光がまとめられ、高パワーの励起光を得ることができ、光化学医療用装置１の性能及び信頼性を高める効果が期待できる。さらに、第１ファイバ１４、第２ファイバ２４、第３ファイバ４０及び第４ファイバ５４は第１ファイバ１４と第２ファイバ２４との出射端で束ねられていることにより、光化学医療用装置１を製造する際に、作業性を向上することができる。また、半導体発光素子の使用により、エキシマレーザ等を使用する場合に比べて、装置の小型化や低コスト化を図ることができる。ここで、第１ファイバ１４と第２ファイバ２４、さらには第３ファイバ４０及び第４ファイバ５４を束ねる方法としては、各光ファイバ出射端をフェルール３２内に挿入し固定する、複数の光ファイバを互いに接着材で固定する、光ファイバ同士を溶融して束ねる、などが挙げられる。
【００４０】
光感受性物質としては、上記説明に記載したｍｏｎｏ−Ｌ−ａｓｐａｒｔｙｌ−ｃｈｌｏｒｉｎ  ｅ６（ＮＰｅ６）以外にも、ＰｈｏｔｏｆｉｎやＩｎｄｏｃｙａｎｉｎｅ  ｇｒｅｅｎ等を用いることができる。Ｐｈｏｔｏｆｉｎの場合には、λｐ１＝３７９ｎｍ〜４１９ｎｍ、λｐ２＝６１０ｎｍ〜６５０ｎｍとし、Ｉｎｄｏｃｙａｎｉｎｅ  ｇｒｅｅｎの場合には、λｐ１＝６６０ｎｍ〜７２０ｎｍ、λｐ２＝７７０ｎｍ〜８１０ｎｍとし、上記ＮＰｅ６の場合の例と同様の構成、方法とすれば、同様の効果を得ることができる。もちろんその他の２つ以上の吸収ピークを有する光感受性物質を用いてもよい。またこれらの物質は良性、悪性を問わず腫瘍全般に対して集積させることができ、本発明は癌病巣部以外にも適用可能である。
【００４１】
使用する波長λｐ１、λｐ２については、生体組織深達長（組織に光を照射したとき、光強度が１／ｅ倍に減衰する深さ）がある程度以上異なる方が病巣部の深さ位置を診断する上で望ましい。例えば、λｐ１の光の生体組織深達長は１ｍｍ以下、λｐ２の光の生体組織深達長は３ｍｍ以上であるのが好ましい。一般に早期癌では比較的表層付近に癌病巣部は発生し易く、一方進行癌では比較的組織深部まで癌病巣部は増殖する。２つの励起光波長で生体組織深達長が異なるλｐ１、λｐ２、をそれぞれ照射することで、深さ方向に対してより広い範囲にわたり対応可能であるとともに、さらにはλｐ１、λｐ２、をそれぞれ照射したときの蛍光分布の面積を比較することで、癌の進行状況も把握することができる。例えば、両者の蛍光分布の面積が大きく変わらない場合は、表層だけに存在する早期癌であると予想でき、一方、λｐ２を照射したときの蛍光分布の面積がλｐ１を照射したときに比べ広い場合は組織深部まで増殖していると予想できる。
【００４２】
上記の光化学医療用装置１は光化学診断及び光化学治療することができる装置としたが、医療の目的等によって、光化学診断のみ、または光化学治療のみすることができる装置としてもよい。
【００４３】
なお、本発明は上記実施形態に限定されるものではない。上記の実施形態では、診断照射部２の発光素子と集光レンズとファイバとの数を各５個ずつとし、検出部４のファイバと集光レンズとの数を１個ずつとし、治療照射部６の発光素子と集光レンズとファイバとの数を各１個ずつとしたが、これに限らず、必要に応じて数を変更してもよい。
【図面の簡単な説明】
【００４４】
【図１】実施形態に係る光源装置の構成図である。
【図２】光感受性物質ｍｏｎｏ−Ｌ−ａｓｐａｒｔｙｌ−ｃｈｌｏｒｉｎ  ｅ６（ＮＰｅ６）の吸収ピークを示す図である。
【図３】特定波長の光強度比率と癌病巣部の観察鮮明度との関係を示す図である。
【符号の説明】
【００４５】
１…光化学医療用装置、８…癌病巣部、１０…第１発光素子、１２…第１集光レンズ、１４…第１ファイバ、２０…第２発光素子、２２…第２集光レンズ、２４…第２ファイバ、３０…制御部、４０…第３ファイバ、４４…光フィルタ、４６…スペクトル解析器、５０…第３発光素子、５４…第４ファイバ。
【図１】
0004424279.tif 000002
【図２】
0004424279.tif 000003
【図３】
0004424279.tif 000004